【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
第１の操作と第２の操作とに基づいて、複数の撮像装置により取得される複数の撮像画像に基づく仮想視点映像の生成に使用される仮想視点の位置及び前記仮想視点からの視線方向を決定する決定手段と、
複数の撮像装置により撮像され、且つ前記決定手段により決定された前記仮想視点の位置及び前記仮想視点からの視線方向に対応する前記仮想視点の視野範囲に含まれる第１のオブジェクトと、複数の撮像装置により撮像され、且つ前記決定手段により決定された前記仮想視点の位置及び前記仮想視点からの視線方向に対応する前記仮想視点の視野範囲に含まれる第２のオブジェクトと、を区別可能に示す情報をディスプレイに表示させる表示制御手段と
を有することを特徴とする情報処理装置。
【請求項２】
前記情報は、前記第１のオブジェクトを強調することにより、前記第１のオブジェクトと前記第２のオブジェクトとを区別可能に示すことを特徴とする請求項１に記載の情報処理装置。
【請求項３】
前記ディスプレイはタッチスクリーンであり、
前記第１の操作及び前記第２の操作は、それぞれ、前記ディスプレイにおけるタッチ操作及びスワイプ操作である
ことを特徴とする請求項１又は２に記載の情報処理装置。
【請求項４】
前記決定手段は、前記ディスプレイに対して閾値よりも長い期間行われるタッチ操作と、前記ディスプレイに対して行われるタッチ操作の圧力とのうち少なくともいずれかに基づいて、前記仮想視点の高さを決定することを特徴とする請求項３に記載の情報処理装置。
【請求項５】
前記第１の操作及び前記第２の操作は、それぞれ、マウスを使用したクリック操作及びドラッグ操作であることを特徴とする請求項１又は２に記載の情報処理装置。
【請求項６】
前記決定手段は、
前記第１の操作に基づいて前記仮想視点の位置を決定し、
前記第２の操作に基づいて前記仮想視点からの視線方向を決定する
ことを特徴とする請求項１乃至５のいずれか１項に記載の情報処理装置。
【請求項７】
前記第１の操作及び前記第２の操作は、連続して行われることを特徴とする請求項１乃至６のいずれか１項に記載の情報処理装置。
【請求項８】
前記第２の操作は、前記第１の操作から連続して行われることを特徴とする請求項７に記載の情報処理装置。
【請求項９】
前記仮想視点の位置及び前記仮想視点からの視線方向は、前記第１の操作及び第２の操作に基づいて、所定の複数の仮想視点のうち一つを選択することにより決定されることを特徴とする請求項１乃至８のいずれか１項に記載の情報処理装置。
【請求項１０】
前記仮想視点の初期位置、前記仮想視点からの初期視線方向、及び、前記仮想視点の初期視野範囲は、予め定められていることを特徴とする請求項１乃至９のいずれか１項に記載の情報処理装置。
【請求項１１】
前記表示制御手段は、前記仮想視点の位置及び前記仮想視点からの視線方向に基づいて生成される仮想視点映像をさらに表示させることを特徴とする請求項１乃至１０のいずれか１項に記載の情報処理装置。
【請求項１２】
前記表示制御手段は、前記ディスプレイにおいて前記情報が表示される領域とは異なる領域に前記仮想視点映像を表示させることを特徴とする請求項１１に記載の情報処理装置。
【請求項１３】
前記表示制御手段は、前記情報と前記仮想視点映像とを、それぞれ異なるディスプレイに表示させることを特徴とする請求項１１に記載の情報処理装置。
【請求項１４】
前記決定手段は、第３の操作に基づいて、前記仮想視点の視野範囲の広さを決定することを特徴とする請求項１乃至１３のいずれか１項に記載の情報処理装置。
【請求項１５】
前記決定手段は、複数の撮像装置により撮像されるオブジェクトであって前記第１の操作に基づいて選択されるオブジェクトの位置を、前記仮想視点の位置として決定することを特徴とする請求項１乃至１４のいずれか１項に記載の情報処理装置。
【請求項１６】
前記決定手段は、前記仮想視点の位置から、複数の撮像装置により撮像されるオブジェクトであって前記第２の操作に基づいて選択されるオブジェクトへの方向を、前記仮想視点からの視線方向として決定することを特徴とする請求項１乃至１５のいずれか１項に記載の情報処理装置。
【請求項１７】
前記表示制御手段は、オブジェクトが存在するフィールドのマップをさらに表示させることを特徴とする請求項１乃至１６のいずれか１項に記載の情報処理装置。
【請求項１８】
第１の操作と第２の操作とに基づいて、複数の撮像装置により取得される複数の撮像画像に基づく仮想視点映像の生成に使用される仮想視点の位置及び前記仮想視点からの視線方向を決定する決定工程と、
複数の撮像装置により撮像され、且つ前記決定工程において決定された前記仮想視点の位置及び前記仮想視点からの視線方向に対応する前記仮想視点の視野範囲に含まれるオブジェクトと、複数の撮像装置により撮像され、且つ前記決定工程において決定された前記仮想視点の位置及び前記仮想視点からの視線方向に対応する前記仮想視点の視野範囲に含まれるオブジェクトと、を区別可能に示す情報をディスプレイに表示する表示工程と
を有することを特徴とする情報処理方法。
【請求項１９】
コンピュータを、請求項１乃至１７のいずれか１項に記載の情報処理装置として機能させるためのプログラム。
【手続補正２】
【補正対象書類名】明細書
【補正対象項目名】０００９
【補正方法】変更
【補正の内容】
【０００９】
本開示の１つの態様は、第１の操作と第２の操作とに基づいて、複数の撮像装置により取得される複数の撮像画像に基づく仮想視点映像の生成に使用される仮想視点の位置及び前記仮想視点からの視線方向を決定する決定手段と、複数の撮像装置により撮像され、且つ前記決定手段により決定された前記仮想視点の位置及び前記仮想視点からの視線方向に対応する前記仮想視点の視野範囲に含まれる第１のオブジェクトと、複数の撮像装置により撮像され、且つ前記決定手段により決定された前記仮想視点の位置及び前記仮想視点からの視線方向に対応する前記仮想視点の視野範囲に含まれる第２のオブジェクトと、を区別可能に示す情報をディスプレイに表示させる表示制御手段とを有することを特徴とする情報処理装置を提供する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】